(57)【特許請求の範囲】
【請求項１】
絶縁性プラスチック製の外殻と、この外殻内に収納されて電線に接続される導電体と、前記外殻に一方向に弾性変形可能に設けられ取付面に形成された取付孔に抜止め係止する係止部を先端に有して前記外殻を前記取付面に取付ける係止爪と、前記取付面に前記外殻を取付ける際の前記係止爪の弾性変形の方向とは異なった方向に、前記係止爪が過変形するのを防止する過変形防止手段とを備え、
前記過変形防止手段は、前記係止爪の先端の係止部以外の部分で、前記係止爪の弾性変形の方向と略直角方向の前記係止爪の両側部を、前記係止爪の弾性変形の方向に弾性変形可能に前記外殻に連結する連結部であり、
前記外殻は周側壁を有し背面側に開口を有するボディと、前記周側壁の内周面に嵌合する周壁を有するカバーからなり、前記連結部は前記周側壁の一部に前記周壁との間に間隙を形成するように外方に膨らませて形成し、前記係止爪を前記連結部より前記カバーの後方に向けて突出した電気器具。
【請求項２】
絶縁性プラスチック製の外殻と、この外殻内に収納されて電線に接続される導電体と、前記外殻に一方向に弾性変形可能に設けられ取付面に形成された取付孔に抜止め係止する係止部を先端に有して前記外殻を前記取付面に取付ける係止爪と、前記取付面に前記外殻を取付ける際の前記係止爪の弾性変形の方向とは異なった方向に、前記係止爪が過変形するのを防止する過変形防止手段とを備え、前記係止爪は略基端部のみが前記外殻の前記取付面と反対側に連結されて前記取付面側へ外殻に略沿って突出する状態に設けられ、前記過変形防止手段が、前記外殻に延設されて前記係止爪の先端側の両側に位置して前記係止爪の変形により前記係止爪の先端側が当たる破損防止用の突出部である電気器具。
【請求項３】
前記外殻は配線部品用である請求項１または請求項２記載の電気器具。
【請求項４】
前記外殻はランプソケット用である請求項１または請求項２記載の電気器具。
【発明の詳細な説明】
【０００１】
【発明の属する技術分野】
この発明は、ランプソケットや配線部品等の電気器具に関するものである。
【０００２】
【従来の技術】
従来例を図１０ないし図１２に示す。すなわち、このランプソケットは、外殻１００に一対の係止爪１０１を突出し、これらの係止爪１０１を取付板１０３の取付孔１０２に嵌着して、取付板１０３にスナップイン取付けするようにしていた（たとえば特公昭63-29392号) 。
【０００３】
【発明が解決しようとする課題】
しかし、この従来例は、ソケット取付時、ランプ交換時や照明器具輸送時にランプソケットの外殻１００に、図１１の矢印のように様々な方向に衝撃力が加わったとき、係止爪１０１に係止爪１０１のひねり方向すなわちランプソケットを取付ける際に係止爪１０１が弾性変形を許容された図１２の矢印Ａの方向とは異なった矢印Ｂの方向に加わると、係止爪１０１が過度に変形して破損する可能性があった。
【０００４】
またこの従来例では、係止爪１０１だけで取付け、位置決め、および移動防止を行なっているため係止爪１０１が破損するとソケット使用不可能またはランプ落下を起こすおそれがある。
さらにこの係止爪１０１の構成は係止爪１０１を形成するための金型が複雑で、金型が部分的に破損しやすい弱い構造になる。
【０００５】
したがって、この発明の目的は、係止爪の過変形や破損を防止することができる電気器具を提供することである。
【０００６】
【課題を解決するための手段】
請求項１記載の電気器具は、絶縁性プラスチック製の外殻と、この外殻内に収納されて電線に接続される導電体と、前記外殻に一方向に弾性変形可能に設けられ取付面に形成された取付孔に抜止め係止する係止部を先端に有して前記外殻を前記取付面に取付ける係止爪と、前記取付面に前記外殻を取付ける際の前記係止爪の弾性変形の方向とは異なった方向に、前記係止爪が過変形するのを防止する過変形防止手段とを備え、
前記過変形防止手段は、前記係止爪の先端の係止部以外の部分で、前記係止爪の弾性変形の方向と略直角方向の前記係止爪の両側部を、前記係止爪の弾性変形の方向に弾性変形可能に前記外殻に連結する連結部であり、
前記外殻は周側壁を有し背面側に開口を有するボディと、前記周側壁の内周面に嵌合する周壁を有するカバーからなり、前記連結部は前記周側壁の一部に前記周壁との間に間隙を形成するように外方に膨らませて形成し、前記係止爪を前記連結部より前記カバーの後方に向けて突出したものである。
【０００７】
請求項１記載の電気器具によれば、ソケット取付時、ランプ交換時や照明器具輸送時にランプソケットに衝撃力が加わっても、過変形防止手段により係止爪の過変形や破損を防止することができる。
【０００８】
また、係止爪の係止部以外の大部分が連結部により外殻に連続しているため、係止爪の弾性変形方向以外の方向の衝撃力が係止爪に加わっても係止爪の過変形や破損を防止することができる。また連結部は係止爪の弾性変形の方向に弾性変形可能であるため、係止爪の弾性変形が阻害されない。また金型が単純な形状にできるため、金型が部分的に破壊し易い構造になることを防止できる。さらに連結部により係止爪が外殻に連続しているため外観がよくなる。
【０００９】
請求項２記載の電気器具は、絶縁性プラスチック製の外殻と、この外殻内に収納されて電線に接続される導電体と、前記外殻に一方向に弾性変形可能に設けられ取付面に形成された取付孔に抜止め係止する係止部を先端に有して前記外殻を前記取付面に取付ける係止爪と、前記取付面に前記外殻を取付ける際の前記係止爪の弾性変形の方向とは異なった方向に、前記係止爪が過変形するのを防止する過変形防止手段とを備え、前記係止爪は略基端部のみが前記外殻の前記取付面と反対側に連結されて前記取付面側へ外殻に略沿って突出する状態に設けられ、前記過変形防止手段が、前記外殻に延設されて前記係止爪の先端側の両側に位置して前記係止爪の変形により前記係止爪の先端側が当たる破損防止用の突出部であるものである。
【００１０】
請求項２記載の電気器具によれば、係止爪の弾性変形以外の方向に衝撃力が加わっても係止爪の先端側が突出部に衝突すると、それ以上変形できないので、係止爪の過変形や破損を防止することができる。
【００１２】
請求項３記載の電気器具は、請求項１または請求項２において、前記外殻が配線部品用である。
請求項３記載の電気器具によれば、請求項１または請求項２と同様な効果がある。
【００１３】
請求項４記載の電気器具は、請求項１または請求項２において、前記外殻がランプソケット用である。
請求項４記載の電気器具によれば、請求項１または請求項２と同様な効果のほか、ランプソケットの使用が不可能になることやランプの落下を防止することができる。
【００１４】
【発明の実施の形態】
この発明の第１の実施の形態を図１ないし図３により説明する。すなわち、このランプソケットに適用した電気器具は、外殻１と、導電体２と、係止爪３と過変形防止手段７とを有する。
外殻１は絶縁性プラスチック製であり、実施の形態ではランプソケットの外殻を構成するボディ４と、カバー５と、回転子６からなっている。ボディ４は、背面に開口を有する箱形で開口の奥壁となる前面板９に回転子用の丸孔１０を形成し、前面板９の一端に側縁部と丸孔１０とに連通するランプピン挿通溝１１を形成し、前面板１０の他端側の周側壁４ａに電線挿入穴１２、電線解除孔１３および係止孔１４を形成している。カバー５は、ボディ４の開口に嵌合できる大きさの箱形であり、ボディ４の開口縁に係止するつば１５を周壁１９の背板２５側に形成し、ランプピン挿通溝１１の形成部分を逃げる切欠１６を周壁１９に形成し、丸孔１０に整合する位置の背板２５に回転子嵌合筒部１７を立設している。回転子嵌合筒部１７は、割り付きで先端の外周に周溝１８を形成しており、その付け根の周囲の背板２５に複数の回転子位置決め突部３９を突設している。また周壁１９の内面に導電体位置決め部２０，２１を一対ずつ設け、周壁１９の電線挿入穴１２に整合する電線挿通穴２２を形成し、電線解除孔１３に整合する電線解錠用挿通孔２３を形成し、係止孔１４に係止する係合突起２４を形成している。回転子６は丸孔１０に遊嵌し回転子嵌合筒部１７に外嵌する筒部２６と丸孔１０を塞ぐ円板部２７からなっており、円板部２７および筒部２６にまたがってランプピン挿通溝１１に整合する切欠溝２８を形成し、筒部２６の内周に周溝１８に係合する内つば２９を形成し、筒部２６の先端面に回転子位置決め突部３９に位置決め係合する複数の凹部４０を凹設している。３０は端子接続確認用覗き孔である。
【００１５】
導電体２は、外殻１内に収納されて電線に接続されるものである。導電体２は位置決め部２０，２１に両端が係止する略帯板状をなし、一端に速結端子部３２を設け、略中央部にランプピン位置決め凹部３６を形成し、ランプピン位置決め凹部３６の両側が筒部２６の外周に接近している。
係止爪３は、外殻１に一方向に弾性変形可能に設けられ、取付面３３に形成された取付孔３４に抜止め係止する係止部３ａを先端に有して、外殻１を取付面３３に取付けるものである。取付面３３はたとえば器具本体の一部である。
【００１６】
過変形防止手段７は、取付面３３に外殻１を取付ける際の係止爪３の弾性変形の方向とは異なった方向に、係止爪３が過変形するのを防止する。実施の形態の過変形防止手段７は、係止爪３の先端の係止部３ａ以外の部分で、係止爪３の弾性変形の方向Ａと略直角方向Ｂの係止爪３の両側部を、係止爪３の弾性変形の方向に弾性変形可能に外殻１に連結する連結部としている。さらにこの点を詳述すると、従来は係止爪３の根元だけが外殻１に一体に連結されていたが、この実施の形態では図３からも明らかなように、外殻１のボディ４の周側壁４ａの一部を外方に山形に膨らませた連結部を形成し、係止部３ａ以外の係止爪３の側部を、その頂部で一体に連結している。このようにすることにより、連結部を係止爪３の弾性変形の方向Ａに弾性変形可能にするとともにカバー５の周壁１９との間に間隙３８を形成して、係止爪３が係脱する方向の弾性変形を阻害しないようにしている。
【００１７】
この電気器具の組立について説明する。カバー５の位置決め部２０，２１内に導電体２を位置決めする。ボディ４をカバー５に被せ、係合突起２４に係止孔１４を係止する。回転子６を丸孔１０より挿入し、筒部２６を筒部１７に嵌合し内つば２９を周溝１８に係止する。つぎに係止爪３を取付孔３４に挿入し係止部３ａを孔縁に抜止め係止する。これによりカバー５の背板２５が取付面３３に押付けられ、係合突起２４と併せてボディ４とカバー５の結合が維持される。電線挿入孔１２より電線を挿入すると電線挿通孔２２を通して速結端子部３２に速結され接続される。ランプピンをランプピン挿入溝１１を通して切欠溝２８に通しランプを回転することによりランプピンにより回転子６を回転し、これによりランプピンを導電体２のランプピン位置決め凹部３６に位置決めして電気的機械的な接続状態となる。
【００１８】
第１の実施の形態によれば、ソケット取付時、ランプ交換時や照明器具輸送時にランプソケットに衝撃力が加わっても、過変形防止手段７により係止爪３の過変形や破損を防止することができる。
また係止爪３の係止部３ａ以外の大部分が過変形防止手段７である連結部により外殻１に連続しているため、係止爪３の弾性変形方向以外の方向の衝撃力が係止爪３に加わっても係止爪３の過変形や破損を防止することができる。また連結部は係止爪３の弾性変形の方向に弾性変形可能であるため、係止爪３の弾性変形が阻害されない。また金型が単純な形状にできるため、金型が部分的に破壊し易い構造になることを防止できる。さらに連結部により係止爪３が外殻１に連続しているため外観がよくなる。
【００１９】
この発明の第２の実施の形態を図４に示す。すなわち、この電気器具は、第１の実施の形態が係止部３ａの向きを外殻１と離れる方向に突出しているのに対して、第２の実施の形態では係止部３ａを外殻１に接近する側に突出したものである。その他は第１の実施の形態と同様である。
この発明の第３の実施の形態を図５および図６に示す。すなわち、この電気器具は、係止爪３は略基端部のみが外殻１の取付面３３と反対側に連結されて取付面３３側へ外殻１に略沿って突出する状態に設けられている。この点は従来例とほぼ同様である。また過変形防止手段７は、外殻１に延設されて係止爪３の先端側の両側に位置して係止爪３の変形により係止爪３の先端側が当たる破損防止用の突出部としている。実施の形態では突出部をカバー５のつば１５より突出している。
【００２０】
第３の実施の形態によれば、係止爪３の弾性変形以外の方向に衝撃力が加わっても係止爪３の先端側が過変形防止手段７である突出部に衝突すると、それ以上変形できないので、係止爪３の過変形や破損を防止することができる。その他は第１の実施の形態と同様である。
この発明の第４の実施の形態を図７ないし図９に示す。すなわち、この電気器具は、係止爪３は略基端部のみが外殻１の取付面３３と反対側に連結されて取付面３３側へ外殻１に略沿って突出する状態に設けられている。この点は従来例と同様である。
【００２１】
また過変形防止手段７は、係止爪３と別に設けられた外殻１の位置決め手段としている。実施の形態では、取付面３３に板状の位置決め用突部４５および位置決め用の孔４６を形成し、カバー５の背板２５に位置決め用突部４５に嵌合する凹部４７を形成するとともに孔４６に嵌合する筒状の位置決め突起４８を突設している。またボディ４には凹部４７に整合する凹部４７′を筒状部４９内に形成している。この場合、取付孔３４は係止爪３よりも大きく形成されて取付孔３４の一孔縁部に係止させるもので、係止爪３を取付孔３４に係止した状態で、係止爪３の過変形を防止する方向の両側において、係止爪３と取付孔３４の間に間隙４４が設けられるように、位置決め手段により外殻１を位置決めしている。
【００２２】
第４の実施の形態によれば、係止爪３の弾性変形以外の方向に外殻に衝撃力が加わっても外殻１は位置決め手段により位置決めされているため、外殻１は移動しない。このため、係止爪３の過変形や破損を防止することができる。
また取付孔３４は係止爪３の両側に間隙４４を形成しているため、ランプソケットが係止爪３が過変形する方向に移動することがあっても、間隙４４により吸収できるので、係止爪３の過変形や破損がより一層確実に防止できる。
【００２３】
その他は第１の実施の形態と同様である。
なお、この発明の電気器具は、ランプソケットのほか、配線部品にも適用することができる。
【００２４】
【発明の効果】
請求項１記載の電気器具によれば、ソケット取付時、ランプ交換時や照明器具輸送時にランプソケットに衝撃力が加わっても、過変形防止手段により係止爪の過変形や破損を防止することができる。
また、係止爪の係止部以外の大部分が連結部により外殻に連続しているため、係止爪の弾性変形方向以外の方向の衝撃力が係止爪に加わっても係止爪の過変形や破損を防止することができる。また連結部は係止爪の弾性変形の方向に弾性変形可能であるため、係止爪の弾性変形が阻害されない。また金型が単純な形状にできるため、金型が部分的に破壊し易い構造になることを防止できる。さらに連結部により係止爪が外殻に連続しているため外観がよくなる。
【００２５】
請求項２記載の電気器具によれば、係止爪の弾性変形以外の方向に衝撃力が加わっても係止爪の先端側が突出部に衝突すると、それ以上変形できないので、係止爪の過変形や破損を防止することができる。
【００２６】
請求項３記載の電気器具によれば、請求項１または請求項２と同様な効果がある。
請求項４記載の電気器具によれば、請求項１または請求項２と同様な効果のほか、ランプソケットの使用が不可能になることやランプの落下を防止することができる。
【図面の簡単な説明】
【図１】この発明の第１の実施の形態のランプソケットの分解斜視図である。
【図２】組立状態のランプソケットの斜視図である。
【図３】図１と反対向きにみた分解斜視図である。
【図４】第２の実施の形態の部分斜視図である。
【図５】第３の実施の形態の斜視図である。
【図６】その分解斜視図である。
【図７】第４の実施の形態の斜視図である。
【図８】その分解斜視図である。
【図９】そのランプソケットを取付面に取付けた状態の背面図である。
【図１０】従来例のランプソケットの外殻の一部の斜視図である。
【図１１】取付板に取付けた状態の背面図である。
【図１２】その部分拡大図である。
【符号の説明】
１    外殻
２    導電体
３    係止爪
３ａ    係止部
７    過変形防止手段
３３    取付面
３４    取付孔
４４    間隙
４５    位置決め用突部
４６    位置決め用の孔
４７    位置決め用の凹部
４８    位置決め突起
【図１】
0003681518.tif 000002
【図２】
0003681518.tif 000003
【図３】
0003681518.tif 000004
【図４】
0003681518.tif 000005
【図５】
0003681518.tif 000006
【図６】
0003681518.tif 000007
【図７】
0003681518.tif 000008
【図８】
0003681518.tif 000009
【図９】
0003681518.tif 000010
【図１０】
0003681518.tif 000011
【図１１】
0003681518.tif 000012
【図１２】
0003681518.tif 000013